Podtech/llm-jp-corpus-v4-ja_patent huggingface dataset:
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
０．６〜６６重量パーセント（重量％）のシアヌル酸トリアリル（ＴＡＣ）及び３４〜９９．４重量％の抗酸化剤（ＡＯ）を含む、予備配合組成物。
【請求項２】
前記ＴＡＣ及びＡＯが、１：１００〜３：２のＴＡＣ：ＡＯ重量比で存在する、請求項１に記載の前記組成物。
【請求項３】
過酸化物架橋性組成物であって、
（Ａ）過酸化物架橋性ポリマーと、
（Ｂ）過酸化物と、
（Ｃ）シアヌル酸トリアリル（ＴＡＣ）と、
（Ｄ）１つ以上の抗酸化剤（ＡＯ）と、を含み、
前記ＴＡＣが、０．０００５重量％〜０．０１重量％の濃度で存在する、前記組成物。
【請求項４】
ペレットの形態である、請求項３に記載の前記組成物。
【請求項５】
過酸化物架橋性ペレットを作製するための方法であって、
（１）
（Ａ）過酸化物架橋性ポリマーと、
（Ｂ）シアヌル酸トリアリル（ＴＡＣ）及びＡＯの予備配合物であって、０．６〜６６重量％のＴＡＣ及び３４〜９９．４重量％のＡＯを含むか、または本質的にそれらからなる、予備配合物と、の均質な溶融物を形成するステップと、
（２）１００μｍ未満のメッシュサイズを有するフィルターに、（１）の均質な溶融物を通過させるステップと、
（３）前記（２）の濾過した均質な溶融物からペレットを形成するステップと、
を含む、前記方法。
【請求項６】
前記ペレットに過酸化物を含浸させるさらなるステップを含む、請求項５に記載の前記方法。
【請求項７】
過酸化物架橋性組成物であって、
（Ａ）過酸化物架橋性ポリマーと、
（Ｂ）０．０００５重量％〜０．０１重量％の低分子量、または低融点、または液体の窒素塩基と、
（Ｃ）１つ以上の抗酸化剤（ＡＯ）と、
（Ｄ）任意に、過酸化物と、を含む、前記組成物。
【請求項８】
前記塩基が、ＴＡＣ及び／もしくはＮ，Ｎ’−１，６−ヘキサンジイルビス（Ｎ−（２，２，６，６−テトラメチル−４−ピペリジニル）−ホルムアミドならびに／またはビス（１，２，２，６，６−ペンタメチル−４−ピペリジル）セバケート及びメチル１，２，２，６，６−ペンタメチル−４−ピペリジルセバケートの混合物を含む、請求項７に記載の前記組成物。
【請求項９】
前記抗酸化剤がＤＳＴＤＰを含む、請求項７又は８に記載の前記組成物。
【請求項１０】
過酸化物架橋性ペレットを作製するための方法であって、
（１）
（Ａ）過酸化物架橋性ポリマーと、
（Ｂ）０．０００５重量％〜０．０１重量％の低分子量、または低融点、または液体の窒素塩基と、
（Ｃ）任意に、抗酸化剤（ＡＯ）と、の均質な溶融物を形成するステップと、
（２）１００μｍ未満のメッシュサイズを有するフィルターに、前記（１）の均質な溶融物を通過させるステップと、
（３）前記（２）の濾過した均質な溶融物からペレットを形成するステップと、
を含む、前記方法。
【請求項１１】
前記ペレットに過酸化物を含浸させるさらなるステップを含む、請求項１０に記載の前記方法。
【請求項１２】
過酸化物架橋性ペレットを作製するための方法であって、
（１）過酸化物架橋性ポリマーのＡＯとの溶融物を形成するステップと、
（２）１００μｍ未満のメッシュサイズを有するフィルターに、前記（１）の溶融物を通過させるステップと、
（３）前記（２）の濾過した均質な溶融物からペレットを形成するステップと、
（４）前記ペレットに低分子量または液体の窒素塩基を含浸させるステップと、
を含む、前記方法。
【請求項１３】
前記ペレットは、過酸化物もまた含浸している、請求項１２に記載の前記方法。
【請求項１４】
過酸化物架橋性組成物であって、
（Ａ）過酸化物架橋性ポリエチレンと、
（Ｂ）０．００５重量％〜０．０３重量％の、ヒンダードアミン安定剤を含む低分子量、または低融点、または液体の窒素塩基であって、１，４００ｇ／モルを超えない分子量、及び９５℃を超えない溶融温度を有する低分子量、または低融点、または液体の窒素塩基と、
（Ｃ）１つ以上の抗酸化剤（ＡＯ）と、
（Ｄ）任意に、有機過酸化物と、を含む、前記組成物。
【請求項１５】
前記低分子量、または低融点、または液体の窒素塩基は、１，０００ｇ／モルを超えない分子量を有する、請求項１４に記載の前記組成物。
【請求項１６】
前記抗酸化剤がチオエステルを含む、請求項１４又は１５に記載の前記組成物。
【請求項１７】
前記抗酸化剤がヒンダードフェノールを含む、請求項１４又は１５に記載の前記組成物。
【請求項１８】
前記抗酸化剤がヒンダードフェノール及びチオエステルを含む、請求項１４〜１７のいずれか一項に記載の前記組成物。
【請求項１９】
前記抗酸化剤が、テトラキス［メチレン（３，５−ジ−ｔｅｒｔ−ブチル−４−ヒドロキシヒドロ−シナメート）］メタン；４，４’−チオビス（３−メチル−６−ｔｅｒｔ−ブチルフェノール；及びジステアリルチオジプロピオネート（ＤＳＴＤＰ）を含む、請求項１〜４、７〜９及び１４〜１８のいずれか一項に記載の前記組成物。
【請求項２０】
前記抗酸化剤が、［１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン］；及びジステアリルチオジプロピオネート（ＤＳＴＤＰ）を含む、請求項１〜４、７〜９及び１４〜１６のいずれか一項に記載の前記組成物。
【請求項２１】
０．５重量％〜２．５重量％の有機過酸化物を含む、請求項１４〜２０のいずれか一項に記載の前記組成物。
【請求項２２】
過酸化物架橋性ペレットを作製するための方法であって、
（１）
（Ａ）過酸化物架橋性ポリマーと、
（Ｂ）低分子量、または低融点、または液体の窒素塩基と、
（Ｃ）任意に、抗酸化剤（ＡＯ）と、の均質な溶融物を形成するステップと、
（２）１００μｍ未満のメッシュサイズを有するフィルターに、前記（１）の均質な溶融物を通過させるステップと、
（３）前記（２）の濾過した均質な溶融物からペレットを形成するステップと、
を含む、前記方法。
【請求項２３】
前記ペレットに過酸化物を含浸させるさらなるステップを含む、請求項２２に記載の前記方法。
【請求項２４】
前記抗酸化剤が、テトラキス［メチレン（３，５−ジ−ｔｅｒｔ−ブチル−４−ヒドロキシヒドロ−シナメート）］メタン；４，４’−チオビス（３−メチル−６−ｔｅｒｔ−ブチルフェノール；及びジステアリルチオジプロピオネート（ＤＳＴＤＰ）を含む、請求項５、６、１０〜１３、２２及び２３のいずれか一項に記載の前記方法。
【請求項２５】
前記抗酸化剤が、［１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン］；及びジステアリルチオジプロピオネート（ＤＳＴＤＰ）を含む、請求項５、６、１０〜１３、２２及び２３のいずれか一項に記載の前記方法。
【請求項２６】
請求項５、６、１０〜１３及び２２〜２５のいずれか一項に記載の前記方法によって作製されたシースを備える、ワイヤまたはケーブル。
【請求項２７】
請求項１〜４、７〜９及び１４〜２１のいずれか一項に記載の前記組成物を含むシースを備える、ワイヤまたはケーブル。
【手続補正書】
【提出日】平成29年9月22日(2017.9.22)
【手続補正１】
【補正対象書類名】明細書
【補正対象項目名】００１０
【補正方法】変更
【補正の内容】
【００１０】
複数の代替的なＤＣ−ＡＣ変換方法が開発されており、それらは所望の正弦波ＡＣ電圧を様々な段階の精度のものに近づける。これらは、正、負、及びゼロ電圧間隔を有する方形波、複数の出力電圧レベルを有する階段波形、及びパルス幅変調波形を含み、これらは、十分な時間および振幅解像度が与えられれば、任意に好適な近似の正弦出力波形を発生させることができる。しかしながら、特別な設備なしに、これらのＤＣ−ＡＣ変換スキームによって提供されるＡＣ波形の周波数は、局所的に得られるものであり、前記ライン周波数とは同期しない。また、低歪み正弦波出力を発生させるＤＣ−ＡＣインバータは前記回路レベルで不可避的に複雑となってしまうため、他の制約も出てくる。本明細書に記載する発明は、これらの制約を回避するものである。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１３／０３００２０９号明細書
（特許文献２）  米国特許第４，０１２，６４１号明細書
（特許文献３）  米国特許第３，７２７，１２２号明細書
【手続補正書】
【提出日】平成29年9月5日(2017.9.5)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
第１のハイブリッド自動再送要求ＨＡＲＱプロセスに属している少なくとも１つのサブフレーム内のデータを前記ＵＥが送信すべきであることを示すシグナリングを受信することと、
前記第１のＨＡＲＱプロセスに属していない少なくとも１つのサブフレーム内の前記データも前記ＵＥが送信すべきであることを示すシグナリングを受信することと、
前記第１のＨＡＲＱプロセスに属している前記少なくとも１つのサブフレーム内の、および前記第１のＨＡＲＱプロセスに属していない前記少なくとも１つのサブフレーム内のデータを送信することと、
前記第１のＨＡＲＱプロセスに属していない少なくとも１つのサブフレーム内の前記データを前記ＵＥが再送すべきであることを示すシグナリングを受信することと、
前記第１のＨＡＲＱプロセスに属していない前記少なくとも１つのサブフレームにおいて前記データを再送することと
を備える、方法。
【請求項２】
前記第１のＨＡＲＱプロセスに属していない前記少なくとも１つのサブフレームは、少なくとも第２のＨＡＲＱプロセスに属している、請求項１に記載の方法。
【請求項３】
前記第１のＨＡＲＱプロセスに属している前記少なくとも１つのサブフレームにおいて前記データを再送すること
をさらに備える、請求項１に記載の方法。
【請求項４】
前記データを送信することは、セミパーシステントスケジューリング（ＳＰＳ）によってトリガされ、
前記シグナリングは、前記第１のＨＡＲＱプロセスを用いた送信がトリガされるとき、前記少なくとも１つのサブフレームにおいて前記データを自動的に再送するように前記ＵＥを構成するＳＰＳ構成が提供される、請求項１に記載の方法。
【請求項５】
前記シグナリングは、前記少なくとも１つのサブフレームの指示を提供する、請求項１に記載の方法。
【請求項６】
前記第１および第２のＨＡＲＱプロセスの両方ではなく１つに関してＨＡＲＱ再送を行うこと
をさらに備える、請求項２に記載の方法。
【請求項７】
基地局（ＢＳ）によるワイヤレス通信のための方法であって、
第１のハイブリッド自動再送要求ＨＡＲＱプロセスに属している少なくとも１つのサブフレーム内の前記データをＵＥが送信すべきであることを示すシグナリングを送信することと、
前記第１のＨＡＲＱプロセスに属していない少なくとも１つのサブフレーム内の前記データを前記ＵＥが送信すべきであることを示すシグナリングを送信することと、
ここにおいて、前記シグナリングは、ダウンリンク制御情報（ＤＣＩ）を介して提供され、前記ＤＣＩにおける情報は、前記ＵＥの再送モードがイネーブルにされていないとき、第１の方法で解釈され、前記ＤＣＩにおける情報は、前記ＵＥの前記再送モードがイネーブルにされているとき、第２の方法で解釈される、
前記第１のＨＡＲＱプロセスに属している前記少なくとも１つのサブフレーム内の、および前記第１のＨＡＲＱプロセスに属していない前記少なくとも１つのサブフレーム内のデータを受信することと、
前記第１のＨＡＲＱプロセスに属していない少なくとも１つのサブフレーム内の前記データを前記ＵＥが再送すべきであることを示すシグナリングを送信することと、
前記第１のＨＡＲＱプロセスに属していない前記少なくとも１つのサブフレームにおいて前記データを受信することと
を備える、方法。
【請求項８】
前記第１のＨＡＲＱプロセスに属していない前記少なくとも１つのサブフレームは、少なくとも第２のＨＡＲＱプロセスに属している、請求項７に記載の方法。
【請求項９】
前記シグナリングは、ダウンリンク制御情報（ＤＣＩ）を介して提供される、請求項１に記載の方法。
【請求項１０】
前記ＤＣＩにおける情報は、前記ＵＥの再送モードがイネーブルにされていないとき、第１の意味を有し、
前記ＤＣＩにおける情報は、前記ＵＥの前記再送モードがイネーブルにされているとき、第２の意味を有する、
請求項９に記載の方法。
【請求項１１】
前記データを受信することは、セミパーシステントスケジューリング（ＳＰＳ）によってトリガされ、ここにおいて、前記シグナリングは、前記第１のＨＡＲＱプロセスを用いた送信がトリガされるとき、前記少なくとも１つのサブフレームにおいて前記データを自動的に再送するように前記ＵＥを構成するＳＰＳ構成が提供される、
請求項７に記載の方法。
【請求項１２】
前記シグナリングは、前記少なくとも１つのサブフレームの指示を提供する、請求項７に記載の方法。
【請求項１３】
前記第１および第２のＨＡＲＱプロセスの両方ではなく１つに関して前記ＵＥからのＨＡＲＱ再送を受信すること
をさらに備える、請求項８に記載の方法。
【請求項１４】
請求項１に記載の方法を行うための手段を備えるユーザ機器（ＵＥ）によるワイヤレス通信のための装置。
【請求項１５】
請求項７に記載の方法を行うための手段を備える基地局（ＢＳ）によるワイヤレス通信のための装置。
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
サブスクリプション・プロファイル・リポジトリ（ＳＰＲ）を利用してサブスクライバについてのリアルタイムデータネットワーク使用量情報を提供するための方法であって、
サブスクライバについてのリアルタイムデータネットワーク使用量情報に関する要求を受信するステップと、
前記要求に応答して、ＳＰＲにおいて前記サブスクライバについてのデータ変更を実施するステップと、
前記ＳＰＲにおいて、前記データ変更に応答して、リアルタイムデータネットワーク使用量情報をポリシーおよび課金規則機能（ＰＣＲＦ）に要求するステップと、
前記ＰＣＲＦにおいて、
リアルタイムデータネットワーク使用量情報に関する前記要求を受信するステップと、
前記要求に応答して、前記サブスクライバについてのリアルタイムデータネットワーク使用量情報を少なくとも１つのポリシーおよび課金実施機能（ＰＣＥＦ）に要求するステップと、
前記少なくとも１つのＰＣＥＦから前記リアルタイムデータネットワーク使用量情報を受信するステップと、
前記ＳＰＲに前記リアルタイムデータネットワーク使用量情報のインディケーションを提供するステップとを含む、方法。
【請求項２】
サブスクライバに関するリアルタイムデータネットワーク使用量情報に関する要求を受信するステップは、データネットワーク・オペレータの情報技術（ＩＴ）システムにおいて前記要求を受信するステップを含む、請求項１に記載の方法。
【請求項３】
前記要求を受信するステップは、通話、テキスト・メッセージまたは電子メールのうちの１つを介して前記サブスクライバから前記要求を受信するステップを含む、請求項１または２に記載の方法。
【請求項４】
前記ＳＰＲにおいて前記サブスクライバについてのデータ変更を実施するステップは、前記ＳＰＲによって維持される前記サブスクライバについてのプロファイルにおいてフラグを設定するステップを含む、請求項１〜３のいずれか１項に記載の方法。
【請求項５】
前記リアルタイムデータネットワーク使用量情報を取得するために前記ＰＣＲＦにメッセージを送信するステップは、前記ＰＣＲＦにプッシュ通知要求（ＰＮＲ）メッセージを送信するステップを含む、請求項１〜４のいずれか１項に記載の方法。
【請求項６】
前記ＰＣＲＦにおいて、前記要求の受信に応答して、前記サブスクライバのために機能する少なくとも１つのＰＣＥＦを識別するステップを含み、前記ＰＣＲＦは、前記少なくとも１つのＰＣＥＦからデータネットワーク使用量情報を受信し、前記サブスクライバについての合計の最新データネットワーク使用量カウントを決定する、請求項１〜５のいずれか１項に記載の方法。
【請求項７】
前記ＳＰＲに前記リアルタイムデータネットワーク使用量情報のインディケーションを提供するステップは、プロファイル更新要求（ＰＵＲ）メッセージを介して前記ＳＰＲに使用量情報を提供するステップを含む、請求項１〜６のいずれか１項に記載の方法。
【請求項８】
前記ＳＰＲから、前記サブスクライバと対話する情報技術（ＩＴ）システムに、前記リアルタイムデータネットワーク使用量情報を提供するステップを含む、請求項１〜７のいずれか１項に記載の方法。
【請求項９】
前記少なくとも１つのＰＣＥＦから前記リアルタイムデータネットワーク使用量情報を受信するステップは、前記サブスクライバが１つ以上のデータネットワークセッションに関与している間に、前記サブスクライバについてのデータネットワーク使用量情報を反映させたバイトカウントを前記ＰＣＥＦから受信するステップを含む、請求項１〜８のいずれか１項に記載の方法。
【請求項１０】
前記リアルタイムデータネットワーク使用量情報は、ロング・ターム・エボリューション（ＬＴＥ）データネットワーク使用量情報を含む、請求項１〜９のいずれか１項に記載の方法。
【請求項１１】
サブスクリプション・プロファイル・リポジトリ（ＳＰＲ）を利用してサブスクライバについてのリアルタイムデータネットワーク使用量情報を提供するためのシステムであって、
サブスクライバについてのリアルタイムデータネットワーク使用量情報に関する要求を受信し、前記要求に応答して、前記サブスクライバについてのデータ変更を実施するように構成された情報技術（ＩＴ）システムと、
前記ＩＴシステムから前記データ変更を受信し、前記データ変更に応答して、リアルタイムデータネットワーク使用量情報を前記サブスクライバに要求するように構成されたＳＰＲと、
ポリシーおよび課金規則機能（ＰＣＲＦ）とを含み、前記ポリシーおよび課金規則機能（ＰＣＲＦ）は、リアルタイムデータネットワーク使用量情報に関する要求を受信し、前記要求に応答して、リアルタイムデータネットワーク使用量情報を少なくとも１つのポリシーおよび課金実施機能（ＰＣＥＦ）に要求し、前記少なくとも１つのＰＣＥＦから前記リアルタイムデータネットワーク使用量情報を受信し、前記ＳＰＲに前記リアルタイムデータネットワーク使用量情報を提供するように構成される、システム。
【請求項１２】
実行可能命令を含むコンピュータ読取可能プログラムであって、前記実行可能命令は、コンピュータのプロセッサによって実行されると、前記コンピュータに、
サブスクリプション・プロファイル・リポジトリ（ＳＰＲ）において、
前記ＳＰＲにおいてサブスクライバについてのデータ変更を実施するために情報技術（ＩＴ）システムから通信を受信するステップと、
前記データ変更を実施するための通信に応答して、リアルタイムデータネットワーク使用量情報をポリシーおよび課金規則機能（ＰＣＲＦ）に要求するステップと、
前記リアルタイムデータネットワーク使用量情報のインディケーションを含む通信を前記ＰＣＲＦから受信するステップと、
前記リアルタイムデータネットワーク使用量情報の前記インディケーションを前記ＩＴシステムに提供するステップと、を実行させる、コンピュータ読取可能プログラム。
【請求項１３】
実行可能命令を含むコンピュータ読取可能プログラムであって、前記実行可能命令は、コンピュータのプロセッサによって実行されると、前記コンピュータに、請求項１〜１０のいずれか１項に記載の方法を処理させる、コンピュータ読取可能プログラム。
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
価格見積もりを提供する方法であって、
（ｉ）コンピュータ・サーバによって、物品またはサービスに対する価格たとえば航空運賃とともにそれら物品またはサービスを規定するパラメータに対する要求を受け取るステップと、
（ｉｉ）前述のステップ（ｉ）に対する任意の時点において、不完全な過去の価格データセットから見積もり価格を決定することを、そのデータセットにおけるパターンを分析することによって行なうように、１または複数のプロセッサを構成するステップと、
（ｉｉｉ）前記パラメータを満たす前記物品またはサービスに対する前記要求価格に対する見積もりを計算するように１または複数のプロセッサを構成するステップと、
（ｉｖ）前記価格見積もりを、エンド・ユーザ・コンピューティング・デバイス、たとえばパーソナル・コンピュータ、スマートフォンまたはタブレットに送るステップと、を含み、
ステップ（ｉｉ）には、
（ａ）過去の価格見積もりをコンピュータ・データ・ストアから得ることと、
（ｂ）前記過去の価格見積もりをカテゴリによってグループ分けすることと、
（ｃ）各グループに対する統計データを導き出すことと、
（ｄ）コンピュータ上に、各グループに対して、前記導き出された統計データを含む分類器を記憶することと、
（ｅ）記憶した分類器を用いて、前記要求価格が対応するグループを特定することと、が含まれ、
ステップ（ｉｉｉ）には、前記要求価格に対する見積もりの組を指定された日付範囲に渡って計算することを、前記特定したグループに対応する前記記憶した分類器から得られる統計データを用いて行なうことが含まれる方法。
【請求項２】
それら物品またはサービスを規定する前記パラメータには、行為タイプ、たとえば航空運賃、ホテル予約、鉄道運賃；日付範囲；目的地；起点；所望の天候条件；星評価；キーワード；任意の他のユーザ定義の好みのうちの１または複数が含まれる請求項１に記載の方法。
【請求項３】
見積もり価格の決定を、見積もり価格を推測するか、導き出すか、または予測することによって行なう請求項１または２に記載の方法。
【請求項４】
ステップ（ｉｉ）には、ルールを用いて前記データセットにおけるパターンを分析することが含まれる請求項１〜３のいずれかに記載の方法。
【請求項５】
ステップ（ｉｉ）には、価格の確率モデルを生成する単純ベイズ分類器機械学習アプローチが含まれ、そのモデルを用いて観察されない価格を予測する請求項１〜４のいずれかに記載の方法。
【請求項６】
観察された価格とそれらに対応する特徴の組とを用いて分類器をトレーニングする請求項５に記載の方法。
【請求項７】
前記特徴は、前記要求に関しており、週の出発日、滞在日数、土曜日滞在、航空会社、旅行する時間、経路、月のうちの１もしくは複数を含むか、または分類器が次に、観察されない価格の前記価格を予測することを、特徴の組を与えられることと、それらの特徴を有する可能性が最も高い価格を与えることとによって行なうか、または特徴を導き出すことを、複数のモデルを異なる特徴を用いてトレーニングすることと、前記異なるモデルの前記予測精度を比較することと、によって行なっても良い請求項６に記載の方法。
【請求項８】
ステップ（ｉｉ）には、過去の価格から統計モデルを構築することと、欠落している見積もり候補を特定することと、前記統計モデルに基づいて見積もり候補を価格設定することと、が含まれる請求項１〜５のいずれかに記載の方法。
【請求項９】
各候補見積もりに対して価格を見積もることを、前記見積もりからカテゴリ特徴値を抽出するステップと、抽出したカテゴリに対して、トレーニングされた分類器をデータ・ベースから取り出すステップと、前記見積もり候補からすべての特徴値を抽出するステップと、前記候補見積もりを分類することを、分類器内に記憶された各価格帯に対してベイズ事後確率を計算することと、最も高いベイズ事後確率を伴う価格帯クラスを選択することと、価格クラスを候補見積もりに付することと、によって行なうステップと、において行なう請求項８に記載の方法。
【請求項１０】
前記統計モデルに対する入力には、経路のリスト、分類器カテゴリ分類方式、過去の見積もり、重みを伴うサポートされた特徴の組が含まれる請求項８または９に記載の方法。
【請求項１１】
前記価格見積もりの組にキャッシュされた運賃価格を含むステップが含まれる請求項１〜１０のいずれかに記載の方法。
【請求項１２】
前記価格見積もりの組は、ステップ（ｉ）の後に配信システムに問い合わせることなく構成されている請求項１〜１１のいずれかに記載の方法。
【請求項１３】
前記価格には航空運賃価格が含まれるか、または前記価格には鉄道運賃価格が含まれるか、または前記価格には貸し自動車価格が含まれるか、または前記価格にはホテル価格が含まれる請求項１〜１２のいずれかに記載の方法。
【請求項１４】
（Ａ）ステップ（ｉ）に対する任意の時点において、不完全な過去の価格データセットから前記見積もり価格の確信範囲を決定することを、そのデータセットにおけるパターンを分析することによって行なうように前記１または複数のプロセッサを構成するステップと、
（Ｂ）前記パラメータを満たす前記物品またはサービスに対する前記要求価格に対する前記見積もり価格の確信範囲を計算するように、前記１または複数のプロセッサを構成するステップと、を含み、
さらに、
（Ｃ）前記確信範囲とともに前記運賃価格見積もりを、エンド・ユーザ・コンピューティング・デバイス、たとえばパーソナル・コンピュータ、スマートフォン、またはタブレットに提供するステップを含む
請求項１〜１３のいずれかに記載の方法。
【請求項１５】
価格見積もりを提供するように構成されたサーバであって、
（ｉ）物品またはサービスに対する価格たとえば航空運賃とともにそれら物品またはサービスを規定するパラメータに対する要求を受け取ることであって、パラメータには、行為タイプ、たとえば航空運賃、ホテル予約、鉄道運賃；日付範囲；目的地；起点；所望の天候条件；星評価；キーワード；任意の他のユーザ定義の好みのうちの１または複数が含まれる、受け取ることと、
（ｉｉ）前述の（ｉ）に対する任意の時点において、不完全な過去の価格データセットから見積もり価格を決定することを、そのデータセットにおけるパターンを分析することによって行なうことと、
（ｉｉｉ）前記パラメータを満たす前記物品またはサービスに対する前記要求価格に対する見積もりを計算することと、
（ｉｖ）前記価格見積もりを提供することと、を行なうように配置され、
（ｉｉ）に対して、
（ａ）コンピュータ・データ・ストアから過去の価格を得ることと、
（ｂ）前記過去の価格をカテゴリによってグループ分けすることと、
（ｃ）各グループに対する統計データを導き出すことと、
（ｄ）各グループに対して、前記導き出された統計データを含む分類器を記憶することと、
（ｅ）前記要求価格が対応する記憶した分類器を用いてグループを特定することと、を行なうように配置され、
（ｉｉｉ）に対して、前記要求価格に対する見積もりの組を指定された日付範囲に渡って計算することを、前記特定したグループに対応する前記記憶した分類器から得られる統計データを用いて行なうように配置されているサーバ。
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
分散データグリッドにおいて永続性をサポートするための方法であって、
前記分散データグリッドの１つ以上のメンバーから複数の識別子を受け取ることを含み、各前記識別子は、前記分散データグリッドについて永続ストレージにおける永続化パーティションに関連付けられており、前記方法はさらに、
各パーティションについて識別子を選択することを含み、各選択された識別子は、パーティションの最も新しい有効なバージョンに関連付けられており、前記方法はさらに、
選択された前記識別子に関連付けられる永続化パーティションから前記パーティションをリカバリすることを担う、前記分散データグリッドにおけるメンバーを決定することを含む、方法。
【請求項２】
前記永続ストレージに複数の分散ローカルディスクを含むことをさらに含み、前記分散データグリッドにおける各メンバーは、前記分散ローカルディスクのうちの１つ以上に対するビジビリティのみを有する、請求項１に記載の方法。
【請求項３】
前記永続ストレージにおいて識別子を各永続化パーティションに割り当てることをさらに含み、各前記識別子は、パーティションのパーティション番号およびバージョン番号に関連付けられる、請求項１または２に記載の方法。
【請求項４】
各前記識別子にタイムスタンプを関連付けることをさらに含む、請求項３に記載の方法。
【請求項５】
前記永続ストレージにおける各永続化パーティションに関連付けられるパーティション番号およびバージョン番号を取得するよう、受け取られた各識別子を解決することをさらに含む、請求項１〜４のいずれか１項に記載の方法。
【請求項６】
前記永続ストレージにストレージエリアネットワーク（ＳＡＮ）を含むことをさらに含み、前記ＳＡＮは前記分散データグリッドにおける複数のメンバーに可視である、請求項１〜５のいずれか１項に記載の方法。
【請求項７】
前記分散データグリッドにおける異なるメンバーが前記永続ストレージにおいてパーティションの複数のバージョンを永続することを可能にすることをさらに含む、請求項１〜６のいずれか１項に記載の方法。
【請求項８】
前記永続ストレージにおいて永続ストアをシールし、かつ、シールした前記永続ストアが完全に初期化され、リカバリされる資格があることを示すことをさらに含む、請求項１〜７のいずれか１項に記載の方法。
【請求項９】
前記永続ストアがシールされているかどうか判定するために前記永続ストレージにおける永続ストアを確認することをさらに含む、請求項８に記載の方法。
【請求項１０】
選択された識別子を有する永続化パーティションを使用して、決定された前記メンバーを介して、前記パーティションをリカバリすることをさらに含む、請求項１〜９のいずれか１項に記載の方法。
【請求項１１】
マシン読取可能な形態のプログラム命令を含むコンピュータプログラムであって、前記プログラム命令は、コンピュータシステムによって実行されると、請求項１〜１０のいずれか１項に記載の方法を前記コンピュータシステムに行なわせる、コンピュータプログラム。
【請求項１２】
分散データグリッドにおいて非同期メッセージ処理をサポートするためのシステムであって、
１つ以上のマイクロプロセッサと、
前記１つ以上のマイクロプロセッサ上で実行される分散データグリッドとを含み、前記分散データグリッドは、１つ以上の通信チャンネルに相互接続される複数のサーバノードを含み、前記分散データグリッドは、
前記分散データグリッドの１つ以上のメンバーから複数の識別子を受け取ることを含むステップを実行するよう動作し、各前記識別子は、前記分散データグリッドについて永続ストレージにおける永続化パーティションに関連付けられており、前記分散データグリッドはさらに、
各パーティションについて識別子を選択することを含むステップを実行するよう動作し、各選択された識別子は、パーティションの最も新しい有効なバージョンに関連付けられており、前記分散データグリッドはさらに、
選択された前記識別子に関連付けられる永続化パーティションから前記パーティションをリカバリすることを担う、前記分散データグリッドにおけるメンバーを決定することを含むステップを実行するよう動作する、システム。
【請求項１３】
分散データグリッドにおいて永続性をサポートするためのレゾルバであって、
前記分散データグリッドの１つ以上のメンバーから複数の識別子を受け取るように構成される受取ユニットを含み、各前記識別子は、前記分散データグリッドについて永続ストレージにおける永続化パーティションに関連付けられており、前記レゾルバはさらに、
各パーティションについて識別子を選択するように構成される選択ユニットを含み、各選択された識別子は、パーティションの最も新しい有効なバージョンに関連付けられており、前記レゾルバはさらに、
選択された前記識別子に関連付けられる永続化パーティションから前記パーティションをリカバリすることを担う、前記分散データグリッドにおけるメンバーを決定するように構成される決定ユニットを含む、レゾルバ。
【請求項１４】
分散データグリッドにおいて永続性をサポートするためのシステムであって、
各々が識別子に関連付けられる１つ以上の永続化パーティションを格納するように構成される永続ストレージと、
利用可能な識別子のリストを前記永続ストレージから収集するように構成される１つ以上のメンバーと、
レゾルバとを含み、前記レゾルバは、利用可能な識別子の前記リストを１つ以上のメンバーから受け取り、各パーティションについて識別子を選択するように構成されており、各選択された識別子は、パーティションの最も新しい有効なバージョンに関連付けられており、前記レゾルバはさらに、選択された前記識別子に関連付けられる永続化パーティションから前記パーティションをリカバリすることを担う、前記分散データグリッドにおけるメンバーを決定するように構成される、システム。
【手続補正書】
【提出日】平成29年8月30日(2017.8.30)
【手続補正１】
【補正対象書類名】明細書
【補正対象項目名】発明の名称
【補正方法】変更
【補正の内容】
【発明の名称】基板処理システム及び基板処理方法
【手続補正２】
【補正対象書類名】明細書
【補正対象項目名】０００１
【補正方法】変更
【補正の内容】
【０００１】
本発明はシステム及び方法に関し、特に、基板処理システム及び基板処理方法に関する。
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
ダイ上で複数のデバイスを作製するための方法であって、
第１のプロセスを用いて、第１のゲート長とコンタクトポリシリコンピッチ（ＣＰＰ）とを有する、複数の第１のゲートを作成するために第１の領域をパターニングするステップであって、前記ＣＰＰが単一パターンリソグラフィ限界よりも小さい、パターニングするステップと、
セルスワッププロセスによって前記第１の領域をパターニングするステップと、その後、
前記複数の第１のゲートのいくつかの代わりに配置された一組の第２のゲートを作製するステップであって、前記第２の一組のゲートは第２のゲート長及び前記ＣＰＰを有し、前記セルスワッププロセスは前記第１のプロセスとは異なり、前記第２のゲート長は前記第１のゲート長と異なる、方法。
【請求項２】
前記第１のプロセスが自己整合ダブルパターニング（ＳＡＤＰ）プロセスである、請求項１に記載の方法。
【請求項３】
第２のプロセスがリソエッチリソエッチ（ＬＥＬＥ）プロセスである、請求項２に記載の方法。
【請求項４】
前記セルスワッププロセスが、前記第１のプロセスによって形成されるゲート間で実行される第２のリソグラフィプロセスである、請求項１に記載の方法。
【請求項５】
前記複数のデバイスが、モバイル電話、セットトップボックス、音楽プレーヤ、ビデオプレーヤ、エンターテインメントユニット、ナビゲーションデバイス、コンピュータ、ハンドヘルドパーソナル通信システム（ＰＣＳ）ユニット、ポータブルデータユニット、および／または固定位置データユニットに組み込まれる、請求項１に記載の方法。
【請求項６】
第１の領域内に第１のゲート長とコンタクトポリシリコンピッチ（ＣＰＰ）とを有する、複数の第１のゲート長デバイスであって、前記ＣＰＰが単一パターンリソグラフィ限界よりも小さい、複数の第１のゲート長デバイスと、
前記第１の領域内の前記複数の第１のゲート長デバイスのいくつかの代わりに配置された一組の第２のゲート長デバイスであって、前記一組の第２のゲート長デバイスは第２のゲート長及び前記ＣＰＰを有し、前記第２のゲート長が前記第１のゲート長とは異なる、一組の第２のゲート長デバイスと
を有する、装置。
【請求項７】
前記複数の第１のゲート長デバイスが、前記一組の第２のゲート長デバイスよりも均一な限界寸法均一性を有する、請求項６に記載の装置。
【請求項８】
第３のゲート長を有する第３のゲート長デバイスをさらに含む、請求項６に記載の装置。
【請求項９】
モバイル電話、セットトップボックス、音楽プレーヤ、ビデオプレーヤ、エンターテインメントユニット、ナビゲーションデバイス、コンピュータ、ハンドヘルドパーソナル通信システム（ＰＣＳ）ユニット、ポータブルデータユニット、および／または固定位置データユニットに組み込まれる、請求項６に記載の装置。
【請求項１０】
ダイ上で複数のデバイスを作製するための方法であって、
第１のプロセスを用いて、第１のゲート長とコンタクトポリシリコンピッチ（ＣＰＰ）とを有する、複数の第１のゲートを作成するために第１の領域をパターニングするステップであって、前記ＣＰＰが単一パターンリソグラフィ限界よりも小さい、パターニングするステップと、
セルスワッププロセスによって前記第１の領域をパターニングするステップと、その後、
前記複数の第１のゲートのいくつかの代わりに配置された一組の第２のゲートを作製するステップであって、前記第２の一組のゲートは第２のゲート長及び前記ＣＰＰを有し、前記セルスワッププロセスは前記第１のプロセスとは異なり、前記第２のゲート長は前記第１のゲート長と異なる、方法。
【請求項１１】
前記複数のデバイスが、モバイル電話、セットトップボックス、音楽プレーヤ、ビデオプレーヤ、エンターテインメントユニット、ナビゲーションデバイス、コンピュータ、ハンドヘルドパーソナル通信システム（ＰＣＳ）ユニット、ポータブルデータユニット、および／または固定位置データユニットに組み込まれる、請求項１０に記載の方法。
【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
ビデオビットストリームを復号するための復号方法であって、
（ａ）前記ビデオビットストリームを受信するステップと、
（ｂ）前記ビデオビットストリームの複数のピクチャを復号するステップと、
（ｃ）現ピクチャのピクチャ順序カウント値を有する復号されたピクチャバッファ内の長期参照ピクチャを識別するステップと、を含み、
前記複数のピクチャの各々は、ピクチャ順序カウントの最上位ビット値および前記ピクチャ順序カウントの最下位ビット値に基づくピクチャ順序カウント値に関連付けられ、かつ最大ピクチャ順序カウント最下位ビット値に関連付けられ、
前記最大ピクチャ順序カウント最下位ビット値から１減算された値及び前記現ピクチャのピクチャ順序カウント値がＡＮＤされた値は、前記現ピクチャの長期参照ピクチャのピクチャ順序カウント値に等しいことを特徴とする復号方法。
【請求項２】
ビデオビットストリームを符号化する符号化方法であって、
（ａ）前記ビデオビットストリームを受信するステップと、
（ｂ）前記ビデオビットストリームの複数のピクチャを符号化するステップと、
（ｃ）現ピクチャのピクチャ順序カウント値を有する符号化されたピクチャバッファ内の長期参照ピクチャを識別するステップと、を含み、
前記複数のピクチャの各々は、ピクチャ順序カウントの最上位ビット値および前記ピクチャ順序カウントの最下位ビット値に基づくピクチャ順序カウント値に関連付けられ、かつ最大ピクチャ順序カウント最下位ビット値に関連付けられ、
前記最大ピクチャ順序カウント最下位ビット値から１減算された値及び前記現ピクチャのピクチャ順序カウント値がＡＮＤされた値は、前記現ピクチャの長期参照ピクチャのピクチャ順序カウント値に等しいことを特徴とする符号化方法。
【手続補正２】
【補正対象書類名】明細書
【補正対象項目名】発明の名称
【補正方法】変更
【補正の内容】
【発明の名称】復号方法及び符号化方法
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
メモリコントローラ内のメモリリフレッシュ方法であって、
リフレッシュアドレスカウンタからリフレッシュアドレスを読むステップと、
弱アドレス表から弱アドレスを読むステップと、
前記リフレッシュアドレスに対応する保持ビットによって規定されるリフレッシュ速度に従ってビットシーケンスを決定するステップと、
前記弱アドレスの一部分に組み合わせられた前記ビットシーケンスに少なくとも部分的に基づいて次の弱アドレスの値を生成するステップと、
前記リフレッシュアドレスを前記弱アドレスおよび前記次の弱アドレスの値と比較するステップと、
前記比較に少なくとも部分的に基づいて、リフレッシュサイクルをスキップすることと、前記リフレッシュアドレスをリフレッシュすることと、前記弱アドレスをリフレッシュすることと、前記リフレッシュアドレスと前記弱アドレスの両方をリフレッシュすることとの間で選択するステップと
を含む、方法。
【請求項２】
前記弱アドレスの各リフレッシュの後、前記ビットシーケンスに従ってネクストビットシーケンスを変更するステップをさらに含む、請求項1に記載の方法。
【請求項３】
前記リフレッシュアドレスが前記弱アドレスに等しく、前記次の弱アドレスに等しくないとき、前記リフレッシュサイクルをスキップするステップと、
前記リフレッシュアドレスが前記弱アドレスに等しくなく、前記次の弱アドレスに等しくないとき、前記リフレッシュアドレスをリフレッシュするステップと、
前記リフレッシュアドレスが前記弱アドレスに等しく、前記次の弱アドレスに等しいとき、前記弱アドレスをリフレッシュするステップと、
前記リフレッシュアドレスが前記弱アドレスに等しくなく、前記次の弱アドレスに等しいとき、前記リフレッシュアドレスと前記弱アドレスの両方をリフレッシュするステップと
をさらに含む、請求項1に記載の方法。
【請求項４】
前記弱アドレス表から強アドレスを読むステップと、
前記強アドレスのリフレッシュサイクルをスキップするステップと
をさらに含む、請求項1に記載の方法。
【請求項５】
前記メモリコントローラが、携帯電話、セットトップボックス、音楽プレーヤ、ビデオプレーヤ、娯楽ユニット、ナビゲーションデバイス、コンピュータ、ハンドヘルドパーソナル通信システム(PCS)ユニット、ポータブルデータユニット、および/または固定位置データユニット中に組み込まれる、請求項1に記載のメモリリフレッシュ方法。
【請求項６】
リフレッシュアドレスを記憶するためのリフレッシュカウンタと、
弱アドレスを記憶するための弱アドレス表と、
前記弱アドレスの一部分に組み合わせられたビット表内のビットシーケンスに少なくとも部分的に基づいて次の弱アドレスの生成を可能にするためのビット表と、
前記リフレッシュアドレスに対応する保持ビットによって規定されるリフレッシュ速度に従って前記ビットシーケンスを決定するための手段と、前記リフレッシュアドレスを前記弱アドレスおよび前記次の弱アドレスと比較することに少なくとも部分的に基づいて、リフレッシュサイクルをスキップすることと、前記リフレッシュアドレスをリフレッシュすることと、前記弱アドレスをリフレッシュすることと、前記リフレッシュアドレスと前記弱アドレスの両方をリフレッシュすることとの間で選択するための手段と
を含む、メモリコントローラ装置。
【請求項７】
前記弱アドレスの各リフレッシュの後、前記ビットシーケンスに従ってネクストビットシーケンスを変更するための手段
をさらに含む、請求項6に記載のメモリコントローラ装置。
【請求項８】
前記リフレッシュアドレスが前記弱アドレスに等しく、前記次の弱アドレスに等しくないとき、前記リフレッシュサイクルをスキップするための手段と、
前記リフレッシュアドレスが前記弱アドレスに等しくなく、前記次の弱アドレスに等しくないとき、前記リフレッシュアドレスをリフレッシュするための手段と、
前記リフレッシュアドレスが前記弱アドレスに等しく、前記次の弱アドレスに等しいとき、前記弱アドレスをリフレッシュするための手段と、
前記リフレッシュアドレスが前記弱アドレスに等しくなく、前記次の弱アドレスに等しいとき、前記リフレッシュアドレスと前記弱アドレスの両方をリフレッシュするための手段と
をさらに含む、請求項6に記載のメモリコントローラ装置。
【請求項９】
携帯電話、セットトップボックス、音楽プレーヤ、ビデオプレーヤ、娯楽ユニット、ナビゲーションデバイス、コンピュータ、ハンドヘルドパーソナル通信システム(PCS)ユニット、ポータブルデータユニット、および/または固定位置データユニット中に組み込まれる、請求項6に記載のメモリコントローラ装置。
【請求項１０】
プログラムコードを含む、メモリリフレッシュのためのコンピュータプログラムであって、前記プログラムコードが、
リフレッシュカウンタ内にリフレッシュアドレスを記憶するためのプログラムコードと、
弱アドレス表内に弱アドレスを記憶するためのプログラムコードと、
前記リフレッシュアドレスに対応する保持ビットによって規定されるリフレッシュ速度に従ってビットシーケンスを決定するためのプログラムコードと、
前記弱アドレスの一部分に組み合わせられたビット表内の前記ビットシーケンスに少なくとも部分的に基づいて次の弱アドレスを生成するためのプログラムコードと、
前記リフレッシュアドレスを前記弱アドレスおよび前記次の弱アドレスと比較することに少なくとも部分的に基づいて、リフレッシュサイクルをスキップすることと、前記リフレッシュアドレスをリフレッシュすることと、前記弱アドレスをリフレッシュすることと、前記リフレッシュアドレスと前記弱アドレスの両方をリフレッシュすることとの間で選択するためのプログラムコードと
を含む、コンピュータプログラム。
【請求項１１】
前記プログラムコードが、
前記弱アドレスの各リフレッシュの後、前記ビットシーケンスに従ってネクストビットシーケンスを変更するためのプログラムコード
をさらに含む、請求項10に記載のコンピュータプログラム。
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
メッセージングシステムをコントロールするコンピュータ実施方法であって、
前記メッセージングシステムを展開する組織のユーザが、メッセージを受信者へ送信しているということを検知することと、
前記受信者が、前記組織の外部にいる外部受信者であるかどうかを特定することと、
前記受信者が外部受信者であり、かつ、外部共有が前記メッセージングシステムにおいて無効にされている場合に、エラーメッセージを表示することと、
前記受信者が外部受信者であり、かつ、外部共有が前記メッセージングシステムにおいて有効にされている場合に、アクセスコントロールリストにアクセスして、共有オブジェクトにアクセスするための許可を前記受信者が有しているかどうかを特定し、前記受信者が前記共有オブジェクトにアクセスするための許可を有していない場合に、前記アクセスコントロールリストにおける許可を修正して、前記共有オブジェクトへのアクセスを有するように前記受信者に関する前記許可を設定することと、
前記受信者が外部受信者ではない場合に、アクセスコントロールリストにアクセスして、前記共有オブジェクトにアクセスするための許可を前記受信者が有しているかどうかを特定し、前記受信者が前記共有オブジェクトにアクセスするための許可を有していない場合に、前記アクセスコントロールリストにおける許可を修正して、前記共有オブジェクトへのアクセスを有するように前記受信者に関する前記許可を設定することと、
を含む、コンピュータ実施方法。
【請求項２】
前記メッセージを前記ユーザが送信しているということを検知することが、
前記メッセージが前記共有オブジェクトへの前記リンクを含んでいるということを検知することを含む、請求項１に記載のコンピュータ実施方法。
【請求項３】
前記メッセージを前記ユーザが送信しているということを検知することが、
前記メッセージが、以前に受信されたメッセージを含んでいるということ、および、前記受信者が、前記以前に受信されたメッセージの受信者ではなかった新たな受信者であるということ、を検知することを含む、請求項２に記載のコンピュータ実施方法。
【請求項４】
前記受信者が前記共有オブジェクトへのアクセスを有するということを示すユーザ通知表示を生成することをさらに含み、
前記ユーザ通知表示を生成することが、
許可管理ユーザ入力メカニズムを表示することと、
前記許可管理ユーザ入力メカニズムのユーザによる作動を受信することと、
ユーザによる作動を受信するステップに応答して、前記受信者に関する現在の許可設定を修正するためのユーザ修正入力を受信する許可修正ユーザ入力メカニズムを伴う許可修正ユーザインターフェース表示を表示することと、
をさらに含む、請求項１から３の何れか一項に記載のコンピュータ実施方法。
【請求項５】
前記許可修正ユーザ入力メカニズムを通じて前記ユーザ修正入力を受信することと、
前記ユーザ修正入力に基づいて前記受信者に関する前記現在のユーザ許可設定を修正するために前記アクセスコントロールリストに対する修正を送信することと、
をさらに含む、請求項４に記載のコンピュータ実施方法。
【請求項６】
ユーザが、格納されているオブジェクトへのリンクを伴う以前に受信されたメッセージ上で、前記以前に受信されたメッセージの受信者ではなかった新たな受信者への送信を行っているということを検知するアクセスコントロールコンポーネントであって、
アクセスコントロールリストにアクセスして、共有オブジェクトにアクセスするための許可を前記受信者が有しているかどうかを特定するように適合されており、そうである場合には、前記メッセージを送信し、
前記共有オブジェクトにアクセスするための許可を前記受信者が有していないということを特定した場合には、前記共有オブジェクトを共有するための適切な許可を前記ユーザが有しているかどうかを特定し、そうである場合には、前記受信者に関する許可を自動的に設定し、それによって前記受信者が、前記共有オブジェクトへのアクセスを有する、アクセスコントロールコンポーネントと、
前記システムの機能部分であるコンピュータプロセッサであって、前記アクセスコントロールコンポーネントによってアクティブ化されて、前記ユーザが前記以前に受信されたメッセージ上で送信を行っているということを検知すること、および、前記アクセスコントロール設定を自動的に設定すること、を容易にする、コンピュータプロセッサと、
を含む、メッセージングシステム。
【請求項７】
コンピュータ実行可能命令を格納しているコンピュータ可読ストレージメディアであって、前記コンピュータ実行可能命令が、コンピュータによって実行されたときに、
前記メッセージングシステムを展開する組織のユーザが、メッセージを受信者へ送信しているということを検知することと、
前記受信者が、前記組織の外部にいる外部受信者であるかどうかを特定することと、
前記受信者が外部受信者であり、かつ、外部共有が前記メッセージングシステムにおいて無効にされている場合に、エラーメッセージを表示することと、
前記受信者が外部受信者であり、かつ、外部共有が前記メッセージングシステムにおいて有効にされている場合に、アクセスコントロールリストにアクセスして、共有オブジェクトにアクセスするための許可を前記受信者が有しているかどうかを特定し、前記受信者が前記共有オブジェクトにアクセスするための許可を有していない場合に、前記アクセスコントロールリストにおける許可を修正して、前記共有オブジェクトへのアクセスを有するように前記受信者に関する前記許可を設定することと、
前記受信者が外部受信者ではない場合に、アクセスコントロールリストにアクセスして、前記共有オブジェクトにアクセスするための許可を前記受信者が有しているかどうかを特定し、前記受信者が前記共有オブジェクトにアクセスするための許可を有していない場合に、前記アクセスコントロールリストにおける許可を修正して、前記共有オブジェクトへのアクセスを有するように前記受信者に関する前記許可を設定することと、
を含む方法を前記コンピュータに実行させる、コンピュータ可読ストレージメディア。